(57)【要約】【課題】手を握る動作による変形に追従し、フィット感としっかり感を両立し、かつ保護機能及び運動機能の高い手袋を提供する【解決手段】手の背面側に伸縮性部材(2a〜2d)と保護部材(1a〜1f)を配置し、手袋を静置して背面側から見たとき、伸縮性部材は独立した２以上の曲列を形成し、上端部は指袋(4c〜4e)の下半分のいずれかの位置にあり、伸縮性部材からなる曲列は、上端部と、第３指(中指)指袋の中央線(17)と直交し第１指(親指)指袋と第２指(示指)指袋との指股部(16)を通る垂線との間において、第２指(示指)指袋、第３指(中指)指袋、第４指(薬指)指袋及び第５指(小指)指袋から選ばれる少なくとも一つの指袋の中央線と少なくとも２回交差して手首方向に向かい、伸縮性部材の曲列に挟まれた部分に保護部材が存在している。【選択図】図２
2008013901.tif 000002
【特許請求の範囲】
【請求項１】
手の背面側に伸縮性部材と保護部材を配置した手袋であって、
前記手袋を静置して背面側から見たとき、前記伸縮性部材は独立した２以上の曲列を形成し、上端部は指袋の下半分のいずれかの位置にあり、
前記伸縮性部材からなる曲列は、前記上端部と、第３指（中指）指袋の中央線と直交し第１指（親指）指袋と第２指（示指）指袋との指股部を通る垂線との間において、第２指（示指）指袋、第３指（中指）指袋、第４指（薬指）指袋及び第５指（小指）指袋から選ばれる少なくとも一つの指袋の中央線と少なくとも２回交差して手首方向に向かい、
前記伸縮性部材の曲列に挟まれた部分に保護部材が存在していることを特徴とする手袋。
【請求項２】
前記保護部材は、第２指（示指）、第３指（中指）、第４指（薬指）及び第５指（小指）から選ばれる少なくとも一つの指に連続する中手骨の少なくとも一部を覆う部分に形成されている請求項１に記載の手袋。
【請求項３】
前記保護部材は前記伸縮性部材の上に配置され、縫製及び接着から選ばれる少なくとも１つにより一体化されている請求項１に記載の手袋。
【請求項４】
前記伸縮性部材の幅は前記保護部材の幅よりも狭い請求項１に記載の手袋。
【請求項５】
前記伸縮性部材からなる各曲列の幅は、前記第３指（中指）指部甲材の中央線に直交する最大指幅の３／４以下である請求項４に記載の手袋。
【請求項６】
前記手袋を静置して背面側から見たとき、前記伸縮性部材からなる曲列の形状はＳ字、逆Ｓ字及びこれらの組み合わせから選ばれる少なくとも１つである請求項１に記載の手袋。
【請求項７】
前記伸縮性部材はツーウェイ方向に伸縮する布帛である請求項１に記載の手袋。
【請求項８】
前記伸縮性部材の５ｃｍ幅における４．９Ｎ（５００ｇｆ）荷重時の伸長率は、経緯方向ともに５〜１５０％の範囲である請求項７に記載の手袋。
【請求項９】
前記保護部材は天然皮革、合成皮革及び人工皮革から選ばれる少なくとも１つである請求項１に記載の手袋。
【請求項１０】
前記保護部材からなる各曲列の上端から最初の円弧の曲率は、半径（Ｒ）が３ｍｍ以上２０ｍｍ以下の範囲である請求項１に記載の手袋。
【請求項１１】
前記伸縮性部材の上端中央を基点とし、最初の円弧の最奥部と次の円弧の最奥部を直線で結んだときの角度が８０°以上１１０°以下の範囲である請求項１に記載の手袋。
【請求項１２】
前記手袋の背面側の中節骨の骨頭部に該当する位置に、さらに前記最初の円弧と平行状に伸縮性部材からなる切り込みを設けある請求項１に記載の手袋。
【請求項１３】
前記保護部材は手首部まで存在させる請求項１に記載の手袋。
【請求項１４】
前記保護部材は、独立した３本以上の曲列である請求項１に記載の手袋。
【発明の詳細な説明】
【技術分野】
【０００１】
本発明は、主としてゴルフ、野球などのスポーツに好適な手袋に関する。
【背景技術】
【０００２】
ゴルフや野球など、クラブやバットを握るスポーツにおいては、主として手の保護のために手袋が使用されている。手を開いた状態からクラブやバットを握る際には、手は大きく変形する。とくに手の背面（甲部）の基節骨及び中節骨の部分は大きく変形する。このため、皮革のような伸びのない材料のみで手袋を作成すると、硬くてフィット感がなくなり、着用感も良好ではなくなる。逆にメッシュ材料や伸縮性材料のみで手袋を作成すると、伸びはよいが頼りない着用感となる。
【０００３】
このような問題を解決するため、第２指（示（ヒトサシ）指）と第３指（中指）の基節骨の骨頭部を囲む領域に切り欠きを設けて、伸縮生地を配置する提案がある（特許文献１）。この提案は局所的に伸縮生地を使用することで違和感を緩和できるが、他の部分の硬さは残り、着用感に問題がある。
【０００４】
別の提案として、甲部分に伸縮素材を配置してグリップ時のフィット感を高めるとともに、伸縮素材に重なるように一部に過伸長防止部を設けた手袋がある（特許文献２）。この提案は伸びるエリアとそうでないエリアの差が大きすぎるため、一部は手の甲にフィットするが一部はフィットしないといった部位ごとの差が現れてしまう問題と、伸びはよいが頼りない着用感となる。
【０００５】
さらに別の提案として、各指ごとにパーツを配置し、縦方向に分割することで、各指間の横方向の伸びには追随できる手袋がある（特許文献３）。しかし、この提案は縦方向の伸びは考慮されておらず、手の甲の複雑な三次元的変形に追随できないという問題がある。
【特許文献１】特開平１１−１７８９７３号公報
【特許文献２】特許第３６７７４２０号公報
【特許文献３】特開２００５―２８１８７２号公報
【発明の開示】
【発明が解決しようとする課題】
【０００６】
本発明は、前記従来の問題を解決するため、手を握る動作による変形に追従し、かつフィット感としっかり感を両立し、かつ保護機能及び運動機能の高い手袋を提供する。
【課題を解決するための手段】
【０００７】
本発明の手袋は、手の背面側に伸縮性部材と保護部材を配置した手袋であって、前記手袋を静置して背面側から見たとき、前記伸縮性部材は独立した２以上の曲列を形成し、上端部は指袋の下半分のいずれかの位置にあり、前記伸縮性部材からなる曲列は、前記上端部と、第３指（中指）指袋の中央線と直交し第１指（親指）指袋と第２指（示指）指袋との指股部を通る垂線との間において、第２指（示指）指袋、第３指（中指）指袋、第４指（薬指）指袋及び第５指（小指）指袋から選ばれる少なくとも一つの指袋の中央線と少なくとも２回交差して手首方向に向かい、前記伸縮性部材の曲列に挟まれた部分に保護部材が存在していることを特徴とする。
【発明の効果】
【０００８】
本発明の手袋は、手を握ったとき、大きく変形する背面（甲部）の中手骨上部から基節骨近辺にかけての変形に追従し、かつフィット感としっかり感を両立し、かつ保護機能及び運動機能の高い手袋とすることができる。すなわち、手を握る動作の際、背面（甲部）の中手骨の上部から基節骨近辺にかけて大きな変形をするが、この変形を伸縮性部材の上端からの最初の曲線で構成される面と次の曲線で構成される面で受け、前記伸縮性部材はタテ方向とヨコ方向と斜め方向に伸びる。これにより、手の全体にフィットしたまま手の変形に追従し、運動機能性は高い。また、前記伸縮性部材に挟まれた部分に保護部材が形成されているから、しっかりした感じもあり保護機能も高い。
【発明を実施するための最良の形態】
【０００９】
本発明者らは手を握ったときの背面（甲部）の変形を観察した。まず図９に示すように手の甲部に碁盤目状に丸点を入れ、ポイントとなる点については×点、水平線、及び直線を描き、図１０に示すように手を握ったときにどのように変形するかを詳細に分析した。全体としては碁盤目状に丸点のようにタテ方向とヨコ方向に伸びるが、×点、水平線、及び直線を入れた部分は斜め方向にも伸び、複雑な動きをしていることがわかった。本発明は、このような複雑な三次元的変形を伴う手の甲の動きに追従させる手袋を開発しようとするところに着想がある。
【００１０】
本発明の説明にあたり、まず手指の骨について説明する。図１１は人の左手を背面（甲側）から見た透視図である。手指は第１指（親指）２１、第２指（示指）２２、第３指（中指）２３、第４指（薬指）２４及び第５指（小指）２５からなり、第２指（示指）２２を例に挙げると末端側から末節骨２６、中節骨２７、及び基節骨２８であり、中手骨２９に接続している。その次にいくつかの小さな骨に接続し、手根３０に至る。手根３０に対面して腕の骨である橈骨３１と尺骨３２が存在する。通常、手首とは手根３０近辺から橈骨３１及び尺骨３２の先端付近にかけての領域をいう。
【００１１】
本発明の手袋は、一例を図２に示すように、手の背面側に伸縮性部材（２ａ〜２ｄ）と保護部材（１ａ〜１ｆ）を配置し、手袋を定常状態で静置して背面側から見たとき、伸縮性部材（２ａ〜２ｄ）は独立した２以上の曲列を形成し、上端部は指袋（４ｃ〜４ｅ）の下半分のいずれかの位置にあり、伸縮性部材からなる曲列は、上端部と、第３指（中指）指袋の中央線（１７）と直交し第１指（親指）指袋と第２指（示指）指袋との指股部（１６）を通る垂線（例えば中指の場合は交点（１７ｄ））まで間において、第２指（示指）指袋、第３指（中指）指袋、第４指（薬指）指袋及び第５指（小指）指袋から選ばれる少なくとも一つの指袋の中央線と少なくとも２回交差して手首方向に向かい、伸縮性部材（２ａ〜２ｄ）の曲列に挟まれた部分に保護部材（１ａ〜１ｆ）が存在している。これにより、手を握る動作による変形に追従し、かつフィット感としっかり感を両立し、かつ保護機能及び運動機能を良好に保てる。本発明において、「曲列」とは、「曲線で構成される面」をいう。前記において、定常状態とは、手袋を開いて静置した状態をいう。
【００１２】
前記において、指袋（４ｃ〜４ｅ）の下半分は基節骨を覆う部分に相当する。したがって、伸縮部材（２ｂ〜２ｄ）の上端は第２指（示指）、第３指（中指）、第４指（薬指）及び第５指（小指）から選ばれる少なくとも１本の指の基節骨を覆ういずれかの部分とし、下端は線１９より下側の任意の部分とすれば、背面（甲部）の中手骨上部から基節骨近辺にかけての大きな変形に追従できる。
【００１３】
前記保護部材（１ａ〜１ｆ）は、第２指（示指）、第３指（中指）、第４指（薬指）及び第５指（小指）から選ばれる少なくとも一つの指に連続する中手骨の少なくとも一部を覆う部分に形成されていることが好ましい。これにより手の甲部分の保護機能としっかり感を発現できる。
【００１４】
前記保護部材は前記伸縮性部材の上に配置され、縫製又は接着により一体化されていることが好ましい。このようにすると縫製又は接着が容易であり、型崩れが少ない。縫製としては本縫い、環縫い、１本針オーバーロック、２本針オーバーロック、フラットシーマ等の縫い目を形成するミシンで縫着する。縫い目の種類は限定されない。接着方法としては、例えばポリウレタン製の熱融解性のシームテープを用いて熱プレスする方法がある。いくつかの伸縮性部分に区分けされる一枚の伸縮性材料の上にいくつかの保護部分を固定することにより製品を形成することも可能である。
【００１５】
前記伸縮性部材からなる各曲列の幅は前記保護部材の幅よりも狭く、第３指（中指）指部甲材の中央線に直交する最大指幅の３／４以下が好ましく、さらに２／３以下であることが好ましい。これにより運動機能を低下させることなく手の保護機能を高く維持できる。
【００１６】
前記手袋を静置して背面側から見たとき、前記伸縮性部材からなる曲列の形状はＳ字、逆Ｓ字又はこれらの組み合わせであることが好ましい。これにより手の大きな変形を伸縮性部材のタテ方向とヨコ方向と斜め方向に伸びる機能により追従できる。
【００１７】
伸縮性部材はツーウェイ方向に伸縮する編み物を用いるのが好ましい。タテとヨコの変形を大きく取れるからである。伸縮性部材の５ｃｍ幅における４．９Ｎ（５００ｇｆ）荷重時の伸長率は、経緯方向ともに５〜１５０％の範囲が好ましい。伸縮性部材は、例えばポリウレタン繊維、ポリアミド繊維、ポリエステル繊維等から選ばれる繊維を組み合わせた編地もしくは織物であっても良い。
【００１８】
前記保護部材の上端から最初の円弧の曲率は、半径（Ｒ）が３ｍｍ以上２０ｍｍ以下の範囲であることが好ましい。また、前記伸縮性部材からなる各曲列の上端中央を基点とし、最初の円弧の最奥部と次の円弧の最奥部を直線で結んだときの角度が８０°以上１１０°以下の範囲であることが好ましい。これにより同様に手の大きな変形を伸縮性部材のタテ方向とヨコ方向と斜め方向に伸びる機能により追従できる。
【００１９】
前記手袋の背面側の中節骨の骨頭部に該当する位置に、さらに前記最初の円弧と平行状に伸縮性部材からなる切り込みを設けてもよい。これにより、中節骨の骨頭部の大きな変形に追従できる。
【００２０】
前記保護部材は、天然皮革、合成皮革又は人工皮革で形成するのが好ましい。保護機能を高く維持するためである。ここで、天然皮革とは、牛皮、豚皮、羊皮、鹿皮などの動物の皮革である。合成皮革は、ナイロンなどの織編物の表面にポリウレタンや塩化ビニル樹脂などの合成樹脂を被覆したものである。人工皮革は、不織布をベースとし、その表面にポリウレタン、ポリアミノ酸、ナイロン樹脂又は塩化ビニル樹脂などの合成樹脂を被覆し、例えばスエード調に表面加工したものである。
【００２１】
なお、保護部材は手首部まで存在させるのが好ましい。伸縮性部材の末端は手首部のゴムを入れた絞り部と重なってもよいしこの絞り部と重ならないようにしてもよく、あるいは線１６と手首部との間の任意の部分で止めても良い。
【実施例】
【００２２】
以下実施例により本発明をさらに具体的に説明する。
【００２３】
（実施例１）
図１は本発明の一実施例における野球用手袋の背面図である。この手袋は、甲の部分に天然皮革、合成皮革又は人工皮革からなる保護部材（１ａ〜１ｃ）は独立した３本以上の列で構成した。３本の列の小指側に保護部材（１ｄ〜１ｅ）と親指側に保護部材（１ｆ）の列を設けた。図２に示すように、この手袋を定常状態で静置して背面側から見たとき、伸縮性部材（２ａ〜２ｄ）は独立した４本の曲列で形成され、上端部は指袋（４ｂ〜４ｅ）の下半分のいずれかの位置にある。また、第３指（中指）指袋の各中央線と、第１指（親指）指袋と第２指（示指）指袋との指股部（１６）を通る垂線との交点までの間に伸縮性部材からなる曲列（２ｂ）は少なくとも２回交差して手首方向に向かって配置されている。伸縮性部材（２ａ〜２ｄ）に挟まれた部分には、保護部材（１ａ〜１ｆ）を配置した。また、伸縮部材（２ｂ〜２ｄ）の上端は第２指（示指）、第３指（中指）、第４指（薬指）及び第５指（小指）の基節骨を覆ういずれかの部分とし、下端は線１９より下側から手首付近まで延長させた。伸縮性部材（２ａ〜２ｄ）の曲列は、Ｓ字形状とした。
【００２４】
保護部材（１ａ〜１ｆ）は伸縮性部材（２ａ〜２ｅ）の上に配置し、縫製により一体化した。このようにすると縫製が容易であり、型崩れが少ない。
【００２５】
伸縮性部材（２ａ〜２ｅ）からなる各曲列の幅は保護部材（１ａ〜１ｆ）の幅よりも狭く、第３指（中指）指袋の最大指幅の半分以下とした。これにより、運動機能を低下させることなく手の保護機能を高く維持できた。
【００２６】
図２は図１の説明図であり、１６は親指と示指との指股部、１７は中指指袋の中央線、１７ａは中央線１７の先端部、１７ｂは中央線１７と中指の付け根をつなぐ線１８の交点、１７ｃは点１７ａと１７ｂとの中間点、１７ｄは線１７と１６の交点、１９は親指指袋と示指指袋との指股から中央線１７への垂線、２０は伸縮性部材の先端部である。
【００２７】
本実施例においては、伸縮性部材の形状はＳ字形状とした。これにより、手の大きな変形を伸縮性部材のタテ方向とヨコ方向及び斜め方向（バイアス方向）に伸びる機能により追従できた。これを図３に示す。伸縮性部材（２ａ〜２ｅ）の大きく曲がる部分は、Ｘ方向（ヨコ方向）とＹ方向（タテ方向）、及び図示してないが斜め方向に伸びる。この伸びにより違和感なく手を握ることができた。
【００２８】
図４は図３の状態から手指を開いたときに、どの部分に大きな変形があったかを太線で示した説明図である。中手骨上部から基節骨近辺にかけての変形が大きく、その変形もタテ方向だけではなくヨコ方向が入り、結果として斜め方向に変形していることがわかる。
【００２９】
図５に示すように、中指の下部における保護部材の上端からの最初の円弧の半径（ｒ１）は１５ｍｍの曲率とし、薬指の下部は半径（ｒ２）は７．５ｍｍの曲率とし、小指の下部は半径（ｒ３）は４ｍｍとした。また、中指の下部における伸縮性部材からなる各曲列の上端中央を基点とし、最初の円弧の最奥部と次の円弧の最奥部を直線で結んだときの角度θ１は１００°、薬指の下部の角度θ２は９２°、小指の下部の角度θ３は８４°とした。これにより、同様に手の大きな変形を伸縮性部材のタテ方向とヨコ方向に伸びる機能により追従できた。
【００３０】
本実施例においては、図１に示すように、先端の指部に保護部材（４ａ〜４ｅ）を設けた。これにより指の先端部の保護を強化できた。
【００３１】
なお、図１において５はゴムによる絞り部、６は手首保護のためのベルトであり、面ファスナーにより固定する。ゴルフ用手袋では手首保護のためのベルト６は不要である。
【００３２】
以上の実施例による野球用手袋の各部材は次のとおりである。
（１）手の甲及び指の背面の保護部材
目付け２９７ｇ／ｍ2の天然羊皮革
（２）掌部から指の前面の保護部材（一体）、及び親指前面の保護部材
目付け２９７ｇ／ｍ2の天然羊皮革
（３）手の甲の伸縮性部材
目付け２１５ｇ／ｍ2のポリエステルとポリウレタン繊維からなるツーウェイ編み物、５ｃｍ幅における４．９Ｎ（５００ｇｆ）荷重時の伸長率は、経方向８２％、緯方向７５％
（４）指の側面の伸縮性部材
目付け２１５ｇ／ｍ2のナイロンとポリウレタン繊維からなるツーウェイ編み物、５ｃｍ幅における４．９Ｎ（５００ｇｆ）荷重時の伸長率は、経方向８２％、緯方向７５％
以上の部材を用いて縫製により手袋を作成し着用したところ、手袋を開いた状態から握る位置まで曲げたとき、大きく変形する背面（甲部）の基節骨近辺から中節骨近辺にかけての変形に追従し、かつフィット感としっかり感を両立し、かつ保護機能及び運動機能の高い手袋であることが確認できた。すなわち、手の大きな変形を伸縮性部材がタテ方向とヨコ方向及び斜め方向に伸び、これにより、手の全体にフィットしたまま手の変形に追従し、違和感なく手を握ることができた。また、しっかりした感じもあり保護機能も高かった。
【００３３】
（実施例２）
実施例１において、手首のベルト１６を作成しない以外は実施例１同様に手袋を作成した。この手袋を図６に示す。図６は本発明の実施例２におけるゴルフ用手袋の背面図である。この手袋をゴルフのプレーに使用したところ、実施例１と同様に手の背面（甲部）の基節骨近辺から中節骨近辺にかけての変形に追従し、かつフィット感としっかり感を両立し、かつ保護機能及び運動機能の高い手袋であることが確認できた。すなわち、手の大きな変形を伸縮性部材がタテ方向とヨコ方向及び斜め方向に伸び、これにより、手の全体にフィットしたまま手の変形に追従し、違和感なく手を握ることができた。また、しっかりした感じもあり保護機能も高かった。
【００３４】
（実施例３）
図７は実施例１の手袋の指袋における背面側の中節骨の骨頭部に該当する位置に、さらに最初の曲線と平行状に伸縮性部材からなる切り込み（３ａ〜３ｅ）を設けた。これにより、中節骨の骨頭部の大きな変形にさらに追従できた。
【００３５】
（実施例４）
図８は本発明の別の実施例における野球用手袋の背面図である。実施例１と異なる点は、次の点である。
（１）天然皮革からなる保護部材（１１ａ〜１１ｄ）の上端はそれぞれ第２指（示指）、第３指（中指）、第４指（薬指）及び第５指（小指）の指の基節骨を覆う位置のいずれかの部分とし、下端は手首部とした。
（２）伸縮性部材（１２ｂ〜１２ｄ）は保護部材（１１ａ〜１１ｄ）の間に存在しており、保護部材（１１ａ〜１１ｄ）の少なくとも３本の列の間の伸縮性部材（１２ｂ〜１２ｄ）は、Ｓ字型の上にさらに逆方向に沿って異なる向きの曲列で接続されている。
【００３６】
他の点は実施例１と同様に手袋を作成した。図８において、１１ｅ，１１ｆは保護部材、１２ｅ，１２ｆは伸縮性部材、１４ａ〜１４ｅは指先端部の保護部材、５はゴムを入れた絞り部、６はベルトである。
【００３７】
このようにして作成した手袋を作成し着用したところ、手袋を開いた状態から握る位置まで曲げたとき、大きく変形する背面（甲部）の基節骨近辺から中節骨近辺にかけての変形に追従し、かつフィット感としっかり感を両立し、かつ保護機能及び運動機能の高い手袋であることが確認できた。すなわち、手の大きな変形を伸縮性部材がタテ方向とヨコ方向及び斜め方向に伸び、これにより、手の全体にフィットしたまま手の変形に追従し、違和感なく手を握ることができた。また、しっかりした感じもあり保護機能も高かった。実施例３の手袋は実施例１の手袋に比較してさらに保護機能が高かった。
【００３８】
実施例１で作成された手袋Ｉと、全面が天然皮で形成された従来の手袋II（比較例１）と、図２において線１６より上方で、点２０より下方の部分の領域を全部実施例１で使用した伸縮性生地（ツーウェイ編み物）とした手袋III（比較例２）を９名の野球選手に着用試験をしてもらった。その結果を表１に示す。
【００３９】
【表１】
2008013901.tif 000003
【００４０】
以上からフィット感としっかり感のバランスは、本発明の実施例品（手袋Ｉ）が最も優れていることが確認できた。加えて、手袋III（比較例２）に比べて本発明の実施例品（手袋Ｉ）は、甲の中手骨の上部から基節骨近辺にかけての保護機能も優れていた。
［産業上の利用分野］
【００４１】
本発明の手袋は、ゴルフ、野球、テニス、バドミントン、スカッシュ、スキー、登山、ウォーキングなどのスポーツ、オートバイや自転車などに好適に使用できる。
【図面の簡単な説明】
【００４２】
【図１】図１は本発明の実施例１における野球用手袋の背面図である。
【図２】図２は同、通常の状態で静置させ、説明を加えた背面図である。
【図３】図３は同、手袋をつけて握ったときの背面図である。
【図４】図４は図３の状態から手指を開いたときに、どの部分に大きな変形があったかを太線で示した説明図である。
【図５】図５は同、手袋の設計を説明する背面図である。
【図６】図６は本発明の実施例２におけるゴルフ用手袋の背面図である。
【図７】図７は本発明の実施例３における野球用手袋の背面図である。
【図８】図８は本発明の実施例４における野球用手袋の背面図である。
【図９】図９は本発明の一実施例における手の変形を示す説明図である。
【図１０】図１０は同、手を握ったときの変形を示す説明図である。
【図１１】図１１は同、手指の骨を説明する図である。
【符号の説明】
【００４３】
１ａ〜１ｆ，１１ａ〜１１ｆ  甲の部分の保護部材
２ａ〜２ｅ，１２ａ〜１２ｆ  甲の部分の伸縮性部材
３ａ〜３ｅ  伸縮性部材からなる切り込み
４ａ〜４ｅ，１４ａ〜１４ｅ  指先端部の保護部材
５  絞り部
６  ベルト
１６  親指指袋と示指指袋との指股部
１７  中指指袋の中央線
１７ａ  線１７の先端部
１７ｂ  線１７と１８の交点
１７ｃ  点１７ａと１７ｂとの中間点
１７ｄ  線１７と１６の交点
１８  中指指袋の付け根をつなぐ線
１９  親指指袋と示指指袋との指股から線１７への垂線
２０  伸縮性部材の先端部
２１  第１指（親指）
２２  第２指（示指）
２３  第３指（中指）
２４  第４指（薬指）
２５  第５指（小指）
２６  末節骨
２７  中節骨
２８  基節骨
２９  中手骨
３０  手根
３１  橈骨
３２  尺骨
【図１】
2008013901.tif 000004
【図２】
2008013901.tif 000005
【図３】
2008013901.tif 000006
【図４】
2008013901.tif 000007
【図５】
2008013901.tif 000008
【図６】
2008013901.tif 000009
【図７】
2008013901.tif 000010
【図８】
2008013901.tif 000011
【図９】
2008013901.tif 000012
【図１０】
2008013901.tif 000013
【図１１】
2008013901.tif 000014